(57)【要約】マルチパス環境で情報を受信および送信するシステムおよび方法は、ワイヤレス通信システムを提供する。ワイヤレス通信システムは、第１のアンテナおよび第２のアンテナの受信特性に応じて受信器モジュールを第１のアンテナまたは第２のアンテナのいずれかに接続するように適合されたスイッチングモジュールを提供する。スイッチングモジュールはさらに、第１のアンテナおよび第２のアンテナの送信特性に応じて送信器モジュールを第１のアンテナまたは第２のアンテナのいずれかに接続するように適合されている。
2004537207.tif 000002
【特許請求の範囲】
【請求項１】
第１のアンテナと、
第２のアンテナと、
該第１のアンテナと該第２のアンテナとに接続されたスイッチングモジュールと、
該スイッチングモジュールを介して該第１のアンテナと該第２のアンテナとに接続された受信器モジュールと、
該スイッチングモジュールを介して該第１のアンテナと該第２のアンテナとに接続された送信器モジュールと、
を備えたワイヤレス通信デバイスであって、
該スイッチングモジュールが、該第１のアンテナおよび該第２のアンテナの受信特性に応じて該第１のアンテナおよび該第２のアンテナの一方に該受信器モジュールを接続するように適合され、
該スイッチングモジュールが、該第１のアンテナおよび該第２のアンテナの送信特性に応じて該第１のアンテナおよび該第２のアンテナの一方に該送信器モジュールを接続するように適合されている、ワイヤレス通信デバイス。
【請求項２】
前記スイッチングモジュールが第１のスイッチと第２のスイッチとを含み、
前記送信器モジュールが、該第１のスイッチを介して前記第１のアンテナと前記第２のアンテナとに接続され、
前記送信器モジュールが、該第２のスイッチを介して該第１のアンテナと該第２のアンテナとに接続されている、請求項１に記載のワイヤレス通信デバイス。
【請求項３】
前記送信器モジュールと、前記受信器モジュールと、前記スイッチイングモジュールとに接続されたコントローラをさらに備えた、請求項１に記載のワイヤレス通信デバイス。
【請求項４】
前記送信特性が、前記送信器モジュールによって採用された特定の送信周波数に対して決定される、請求項３に記載のワイヤレス通信デバイス。
【請求項５】
前記送信特性が、マルチパス環境の影響を含む、請求項３に記載のワイヤレス通信デバイス。
【請求項６】
前記送信特性が、信号強度、信号明瞭度、およびビットレートエラーのうちの少なくとも１つを含む、請求項３に記載のワイヤレス通信デバイス。
【請求項７】
前記受信特性が、前記受信器モジュールによって採用された特定の受信周波数に対して決定される、請求項３に記載のワイヤレス通信デバイス。
【請求項８】
前記受信特性が、マルチパス環境の影響を含む、請求項７に記載のワイヤレス通信デバイス。
【請求項９】
前記受信特性が、信号強度、信号明瞭度、およびビットレートエラーのうちの少なくとも１つを含む、請求項７に記載のワイヤレス通信デバイス。
【請求項１０】
前記コントローラがモバイル局モデム（ＭＳＭ）を含む、請求項１に記載のワイヤレス通信デバイス。
【請求項１１】
前記第１のアンテナが前記第２のアンテナと同一の方向に配置されていない、請求項１に記載のワイヤレス通信デバイス。
【請求項１２】
前記第１のアンテナが前記第２のアンテナに対してほぼ直交するように配置されている、請求項１に記載のワイヤレス通信デバイス。
【請求項１３】
第１のアンテナと、
第２のアンテナと、
該第１のアンテナおよび該第２のアンテナの送信特性に応じて、該第１のアンテナおよび該第２のアンテナの一方を、情報の送信に用いるために選択する第１の手段と、
該第１のアンテナおよび該第２のアンテナの受信特性に応じて、該第１のアンテナおよび該第２のアンテナの一方を、情報の受信に用いるために選択する第２の手段と、
を備えた、ワイヤレス通信デバイス内のダイバーシチアンテナを提供するシステム。
【請求項１４】
前記第１のアンテナおよび前記第２のアンテナのうち、前記第１の手段によって選択された一方に送信器モジュールを接続する手段と、
該第１のアンテナおよび該第２のアンテナのうち、前記第２の手段によって選択された一方に受信器モジュールを接続する手段と、
をさらに備えた、請求項１３に記載のシステム。
【請求項１５】
特定のマルチパス環境において情報を受信および送信する方法であって、
（ａ）該特定のマルチパス環境における第１のアンテナおよび第２のアンテナの送信特性に応じて、該第１のアンテナおよび該第２のアンテナの一方を情報の送信に用いるために選択する工程と、
（ｂ）該特定のマルチパス環境における該第１のアンテナおよび該第２のアンテナの受信特性に応じて、該第１のアンテナおよび該第２のアンテナの一方を情報の受信に用いるために選択する工程と、
（ｃ）該第１のアンテナおよび該第２のアンテナのうち工程（ａ）で選択された一方に該送信すべき情報を接続する工程と、
（ｄ）該第１のアンテナおよび該第２のアンテナのうち工程（ｂ）で選択された一方に該受信すべき情報を接続する工程と、
を包含する方法。
【請求項１６】
（ａ）ワイヤレス通信デバイスの受信器モジュールに接続された、該ワイヤレス通信デバイスの第１のアンテナの受信特性を監視する工程と、
（ｂ）該受信器モジュールに接続された、該ワイヤレス通信デバイスの第２のアンテナの受信特性を評価する工程と、
（ｃ）該第１のアンテナに代えて該第２のアンテナに該受信器モジュールを接続する工程と、
を包含する、ワイヤレス通信方法。
【請求項１７】
前記評価する工程が、前記第１のアンテナの前記受信特性が特定の閾値に達したときにのみ評価する工程を包含する、請求項１６に記載の方法。
【請求項１８】
前記評価する工程が、前記第１のアンテナに代えて前記第２のアンテナに前記受信器モジュールを接続することにより該第２のアンテナをテストする工程を包含する、請求項１６に記載の方法。
【請求項１９】
前記接続する工程が、前記第２のアンテナの前記受信特性が前記第１のアンテナの前記受信特性よりも良好であるときにのみ接続する工程を包含する、請求項１６に記載の方法。
【請求項２０】
（ｄ）前記第１のアンテナおよび前記第２のアンテナの送信特性を評価する工程と、
（ｅ）該第１のアンテナおよび該第２のアンテナのうち、該第２のアンテナの前記受信特性により密接に合致する送信特性を有する一方に、前記ワイヤレス通信デバイスの送信器モジュールを接続する工程と、
をさらに包含する、請求項１６に記載の方法。
【請求項２１】
（ａ）ワイヤレス通信デバイスの送信器モジュールに接続された、該ワイヤレス通信デバイスの第１のアンテナの送信特性を監視する工程と、
（ｂ）該送信器モジュールに接続された、該ワイヤレス通信デバイスの第２のアンテナの送信特性を評価する工程と、
（ｃ）該第１のアンテナに代えて該第２のアンテナに該送信器モジュールを接続する工程と、
を包含する、ワイヤレス通信方法。
【請求項２２】
前記評価する工程が、前記第１のアンテナの前記送信特性が特定の閾値に達したときにのみ評価する工程を包含する、請求項２１に記載の方法。
【請求項２３】
前記評価する工程が、前記第１のアンテナに代えて前記第２のアンテナに前記送信器モジュールを接続することにより該第２のアンテナをテストする工程を包含する、請求項２１に記載の方法。
【請求項２４】
前記接続する工程が、前記第２のアンテナの前記送信特性が前記第１のアンテナの前記送信特性よりも良好であるときにのみ接続する工程を包含する、請求項２１に記載の方法。
【請求項２５】
前記監視する工程が、前記送信特性の決定に用いるワイヤレス通信ネットワークからフィードバック情報を受信する工程を包含する、請求項２１に記載の方法。
【請求項２６】
（ａ）ワイヤレス通信デバイスの第１のアンテナおよび第２のアンテナ用に、該ワイヤレス通信デバイスの範囲内のベース局のリストを生成する工程と、
（ｂ）該ワイヤレス通信デバイスの受信器モジュールに接続された該第１のアンテナの受信特性を監視する工程と、
（ｃ）該監視された受信特性が悪化した場合、該リスト上の該第１のアンテナと該ベース局との間、および該リスト上の該第２のアンテナと該ベース局との間の受信特性をテストする工程と、
（ｄ）特定のアンテナおよび特定のベース局の該テストされた受信特性が該監視された受信特性よりも良好である場合、該受信器モジュールを該特定のアンテナに接続し、該ワイヤレス通信デバイスをワイヤレスで該特定のベース局に接続する工程と、
を包含するワイヤレス通信方法。
【請求項２７】
（ａ）ワイヤレス通信デバイスの第１のアンテナおよび第２のアンテナ用に、該ワイヤレス通信デバイスの範囲内のベース局のリストを生成する工程と、
（ｂ）該ワイヤレス通信デバイスの送信器モジュールに接続された該第１のアンテナの送信特性を監視する工程と、
（ｃ）該監視された送信特性が悪化した場合、該リスト上の該第１のアンテナと該ベース局の少なくとも１つとの間、および該リスト上の該第２のアンテナと該ベース局の少なくとも１つとの間の送信特性をテストする工程と、
（ｄ）特定のアンテナおよび特定のベース局の該テストされた受信特性が該監視された送信特性よりも良好である場合、該送信器モジュールを該特定のアンテナに接続し、該ワイヤレス通信デバイスをワイヤレスで該特定のベース局に接続する工程と、
を包含するワイヤレス通信方法。
【発明の詳細な説明】
【技術分野】
【０００１】
本発明は概して、ワイヤレスネットワークを用いて情報を受信および送信するシステムおよび方法に関し、特にワイヤレスマルチパス環境において情報を受信および送信するアンテナシステムおよび方法に関する。
【背景技術】
【０００２】
ワイヤレス通信ネットワーク内の従来のワイヤレス通信デバイスにより受信および送信される信号は、周囲の環境に影響される。理論的には、単一のアンテナ２００を有する従来のワイヤレス通信デバイスであれば、図３の極性プロットに示す放射パターンを有する。単一のアンテナ２００は例えば０ｄＢｉの等方性ゲインライン２２０で示す等方性放射パターン２１０を有する。放射パターンは３次元であるが、極性プロットは単に２次元で表現されていることが理解される。このように極性プロットは例えば３次元放射パターンの断面を示す。さらに、用語「放射パターン」は、少なくとも送信パターンまたは受信パターンを含むと定義される。等方性放射パターン２１０は、例えば、点放射源を有する遠隔真空空間内で起こる理論的理想的モデルである。
【０００３】
実際の設定、例えば都会的環境では、マルチパスおよび他の考慮事項により放射パターンが不均一になる。信号は、従来のワイヤレス通信デバイスの単一のアンテナ２００に到達する前に、例えば地面、建物、壁または他の反射構造物で反射し得る。さらに、信号が単一のアンテナに到達する前に空間および時間における複数のパスに同時に散乱し得るため、信号は建設的および破壊的にそれ自体と干渉し得る。図４は、単一のアンテナ２００から生成されるゲインライン２３０を含むマルチパス放射パターン２６０の一例を示す、別の極性プロットを表す。ゲインライン２３０はマルチパス干渉によって歪みを生じている。そのため、例えば点２４０、２５０は単一のアンテナから等距離にあるが、実際には点２４０、２５０からは異なる放射パターンが見られる。点２４０からは点２５０からよりも、大きな信号ゲインが見える。
【０００４】
したがって、従来のワイヤレス通信デバイスは、マルチパス状態のために受信および送信が不良であるという問題点を有し、従来のワイヤレス通信デバイスのユーザは典型的には、より向上した信号をランダムにサーチしようとして物理的に動き回る必要がある（例えば放射パターン２６０の形状を知ることなく点２５０から点２４０に動く必要がある）。従来のワイヤレス通信デバイスをこのように物理的に平行移動させることは不便であり、例えばユーザが自由に動き回ることができないなどの条件下においては使用不可能であり得る。
【０００５】
さらに、マルチパスの影響は部分的に、信号の建設的および破壊的干渉から起こるため、信号の周波数が異なればマルチパスの影響も異なる。したがって例えば図５の極性プロットに示すように、第１のゲインライン２７０が第１の周波数ｆ１で単一のアンテナ２００によって生成され、第２のゲインライン２８０が第２の周波数ｆ２で単一のアンテナ２００によって生成される。
【０００６】
従来のワイヤレス通信デバイスは異なる周波数で信号を送受信し得る。したがって従来のワイヤレス通信デバイスは、例えば信号単一のアンテナを介して、第１の周波数ｆ１で送信し第２の周波数ｆ２で受信することがあり得る。従来のワイヤレス通信デバイスは、例えばゲインライン２７０で表される送信用放射パターンとゲインライン２８０で表される受信用放射パターンとを実際に経験する。例えば単一のアンテナ２００と点２９０（例えばベース局）との間の２方向ワイヤレス通信中の結果をさらに図５に示す。点２９０およびアンテナ２００は、単一のアンテナ２００が送信中であるか受信中であるかに依存して異なる放射パターンを実際に経験する。この場合、単一のアンテナ２００は、点２９０に信号を送信する際よりも点２９０から信号を受信する際に、実質的により多くのゲインを実際に経験する。したがって、例えば、点２９０からの信号はうまく受信されても点２９０に送信された信号が失われるということがあり得る。
【発明の開示】
【課題を解決するための手段】
【０００７】
本発明は、ワイヤレス通信システムにおいて情報を受信および送信する従来の装置および方法の不利な点を大幅に緩和する。
【０００８】
好適な実施形態において、本発明は、マルチパス環境で情報を受信および送信するシステムおよび方法を提供する。本発明は、第１のアンテナ、第２のアンテナ、スイッチングモジュール、受信器モジュール、および送信器モジュールを含む。スイッチングモジュールは、第１のアンテナおよび第２のアンテナの受信特性に応じて、第１のアンテナおよび第２のアンテナの一方に受信器モジュールを接続するように適合されている。スイッチングモジュールはさらに、第１のアンテナおよび第２のアンテナの送信特性に応じて、第１のアンテナおよび第２のアンテナの一方に送信器モジュールを接続するように適合されている。
【０００９】
本発明は、ワイヤレス通信デバイスが第１のアンテナおよび第２のアンテナを提供するという利点を有する。ワイヤレス通信デバイスは、送信特性または受信特性を最適化するために第１のアンテナまたは第２のアンテナのいずれかを選択し得る。本発明は、ワイヤレス通信デバイスが自動的に送信器モジュールを、最良の送信特性を有するアンテナに接続し得るという利点を有する。本発明はさらに、ワイヤレス通信デバイスが自動的に受信器モジュールを、最良の受信特性を有するアンテナに接続し得るという利点を有する。
【００１０】
本発明のこれらおよび他の利点は、本発明の以下の詳細な説明を添付の図面と共に検討することにより明らかになる。以下の説明および添付の図面を通して、同様の部品には同様の参照符号を付す。
【発明を実施するための最良の形態】
【００１１】
図１は、本発明によるワイヤレス通信デバイス１００を含むワイヤレス通信システムの実施形態を示す。ワイヤレス通信デバイス１００は、例えば、ハンドヘルドワイヤレス通信デバイス、モバイル電話、自動車電話、携帯またはパーソナル通信サービス（ＰＣＳ）電話、コードレス電話、ラップトップコンピュータまたはワイヤレスモデムを有する他のコンピューティングデバイス、ページャまたはパーソナルデジタルアシスタント（ＰＤＡ）を含み得る。ワイヤレスデバイス１００はデジタルでもよいし、アナログでもよいし、それらを何らかの形で組み合わせたものでもよい。実際、本発明は、当業者に公知の他の形態のワイヤレス通信デバイスをも考慮している。
【００１２】
ワイヤレス通信デバイス１００は、例えば、第１のアンテナ１１０と、第２のアンテナ１２０と、スイッチングモジュール１３０と、送信器モジュール１４０と、受信器モジュール１５０と、メインコントローラ１６０とを含み得る。スイッチングモジュール１３０は、例えば、受信器スイッチ１７０と送信器スイッチ１８０とを含み得る。メインコントローラ１６０は、例えば、モバイル局モデム（ＭＳＭ）またはプログラマブルな他のプロセッサを含み得る。ワイヤレス通信デバイス１００はさらに、当業者に公知であり本明細書にこれ以上示しも記載もしていない他のコンポーネント（例えば、デュプレクサ、ディプレクサ、増幅器、ミキサ、フィルタ、発振器など）をも含み得る。
【００１３】
図２Ａおよび図２Ｂを参照すると、ワイヤレス通信デバイス１００は可能性のある１つの配置で示されている。本実施例において、ワイヤレス通信デバイス１００は２つのアンテナ、すなわち第１の方位にある第１のアンテナ１１０および第２の方位にある第２のアンテナ１２０を含む。好適には、第１のアンテナ１１０は、第１のアンテナ１１０および第２のアンテナ１２０からの異なるゲインパターンを強調する直交関係または他の関係で位置づけられる。さらに本実施例において、第１のアンテナ１１０は、アンテナが少なくとも部分的にワイヤレス通信デバイス１００のハウジング外に延びるように搭載され、第２のアンテナ１２０はハウジング内に搭載されている。特定の応用および美的考慮をサポートするために、アンテナを搭載する他の方位または位置も選択され得ることが理解される。
【００１４】
図示する実施例では、ワイヤレス通信デバイス１００は図２Ａに示すように、周波数ｆ１で送信し、図２Ｂに示すように周波数ｆ２で受信する。上述したように、各アンテナ１１０、１２０が、周波数ｆ１において、周波数ｆ２でのゲインラインと異なるゲインラインを有することがあり得る。例えば、第１のアンテナ１１０は、図２Ａに示すように周波数ｆ１で動作する際にゲインライン１１５を有する放射パターンを有し、図２Ｂに示すように周波数ｆ２で動作する際にゲインライン１１６を有する放射パターンを有する。同様に、第２のアンテナ１２０は、図２Ａに示すように周波数ｆ１で動作する際にゲインライン１２５を有する放射パターンを有し、図２Ｂに示すように周波数ｆ２で動作する際にゲインライン１２６を有する放射パターンを有する。
【００１５】
ワイヤレス通信デバイス１００は、例えばゲインライン１１５とゲインライン１２５との間、またはゲインライン１１６とゲインライン１２６との間、などのゲインライン差を有利に用いて、ワイヤレス通信デバイス１００の動作を向上させる。例えば、ワイヤレス通信デバイス１００は、第１のアンテナ１１０と第２のアンテナ１２０とのいずれが通信信号を送受信するために良好であるかを決定し得、現在の通信にとってより良好なアンテナを選択し得る。このようにして、より一貫性のある信号の質が得られ得、これにより例えば、呼の喪失が減少し得、より低パワーでの使用が可能にあり得、あるいはより高速のデータ送信が可能になり得る。ゲインラインは、ワイヤレス通信デバイス１００の移動または環境の変化に対する応答において変化し得るため、ワイヤレス通信デバイス１００は常により良好なアンテナを決定および選択し得る。したがって、ワイヤレス通信デバイス１００は、移動中またはアクティブかつダイナミックな環境で動作しているときにも、より一貫した信号の質を維持し得る。
【００１６】
図１を参照して、ワイヤレス通信デバイス１００をより詳細に説明する。メインコントローラ１６０は、送信器モジュール１４０と受信器モジュール１５０とスイッチングモジュール１３０とに接続されている。送信器モジュール１４０はスイッチングモジュール１３０の送信器スイッチ１８０に接続されている。送信器スイッチ１８０を介して、送信器モジュール１４０が第１のアンテナ１１０および第２のアンテナ１２０の一方に接続され得る。受信器モジュール１５０はスイッチングモジュール１３０の受信器スイッチ１７０に接続されている。受信器スイッチ１７０を介して、受信器モジュール１６０が第１のアンテナ１１０および第２のアンテナ１２０の一方に接続され得る。
【００１７】
第１のアンテナ１１０および第２のアンテナ１２０は概して同一の方向に示されているが、これらは互いに角度を有して配置され得る。例えば、第１のアンテナ１１０は好適には第２のアンテナ１２０に対してほぼ直交する方向に配置される。アンテナの方位はその放射パターンに影響を与えるため、第１のアンテナ１１０および第２のアンテナ１２０は異なる放射パターンを有し得る。したがって第２のアンテナ１２０は、ワイヤレス通信デバイス１００の他の放射パターンを提供し得る。
【００１８】
一実施形態による動作では、メインコントローラ１６０は、第１のアンテナ１１０または第２のアンテナ１２０を介してワイヤレス通信ネットワークのベース局から信号を受け取る。この信号に基づいて、メインコントローラ１６０が、例えば周波数ｆ１で送信すべき送信器モジュール１４０と周波数ｆ２で受信すべき受信器モジュール１５０を設定する。メイン１６０は、アンテナ１１０および１２０のうちいずれが現在の環境において周波数ｆ２で最良の受信特性を提供するかを評価し得る。現在の環境はマルチパスを含み得る。メインコントローラ１６０はさらに、アンテナ１１０および１２０のうちいずれが現在の環境において周波数ｆ１で最良の送信特性（例えば、信号強度、明瞭度、ビットエラーレートなど）を提供するかを評価し得る。評価は定期的または不定期に（例えば、特定の条件によりトリガされる際に）起こり得る。これらの評価に基づき、メインコントローラ１６０は、送信器モジュール１４０または受信器モジュール１５０を適切なアンテナ１１０または１２０に切り換えるようにスイッチングモジュール１３０を制御する。
【００１９】
例えば、ワイヤレス通信デバイス１００とワイヤレス通信ネットワーク内のベース局との間の２方向通信中（例えば、接続された呼者間の会話中）、メインコントローラ１６０は、例えば周波数ｆ２における割り当てられたチャネルには、第１のアンテナ１１０が現在の環境において第２のアンテナ１２０よりも良好な受信を提供すると決定し得る。したがって、メインコントローラ１６０は、第１のスイッチ１７０が受信器モジュール１５０を第１のアンテナ１１０に接続するような制御信号をスイッチングモジュール１３０に送る。メインコントローラ１６０はさらに例えば、周波数ｆ１における割り当てられたチャネルには、第１のアンテナ１１０が現在の環境においてより良好な送信を提供すると決定し得る。したがって、メインコントローラ１６０は、第２のスイッチ１８０が送信器モジュール１４０を第１のアンテナ１１０に接続するような制御信号をスイッチングモジュール１３０に送る。
【００２０】
別の実施形態による動作では、受信器モジュール１５０がスイッチングモジュール１３０の第１のスイッチ１７０を介して例えば第１のアンテナ１１０に接続される。メインコントローラ１６０は第１のアンテナ１１０の受信特性を監視する。受信特性が悪化すると（例えば、ビットエラーレートが、適用可能なエラー閾値を越えるか、または閾値に近づくと）、メインコントローラ１６０は第２のアンテナ１１０の受信特性をテストする。例えば、メインコントローラ１６０は、第２のアンテナ１２０の受信特性をテストするために、第１のスイッチ１７０が受信器モジュール１５０を第２のアンテナ１２０に接続するようにスイッチングモジュール１３０を制御する。これは、相対的に迅速に行われ得る。例えば、第２のアンテナ１２０の受信特性が、例えば、第２のアンテナ１２０のエラービットレートに基づいて評価された場合、評価はビット毎でも決定され得る。
【００２１】
メインコントローラ１６０が、第２のアンテナ１２０がより良好な受信特性（例えばより低いビットエラーレート）を有していると決定した場合、メインコントローラ１６０は、受信器モジュール１５０を第２のアンテナ１２０に接続したままにし得る。メインコントローラ１６０はその後第２のアンテナ１２０の受信特性を監視する。他方、メインコントローラ１６０が、第２のアンテナ１２０はより良好な受信特性を有していないと決定した場合、メインコントローラ１６０はスイッチングモジュールを制御して、第１のスイッチが受信器モジュール１５０と第１のアンテナ１１０との間の接続を維持するようにする。
【００２２】
アンテナ１１０、１２０の送信特性を監視する際にも同様の手順がメインコントローラ１６０によって行われ得る。例えば、メインコントローラ１６０は、ベース局からのフィードバックを介して送信特性（例えば、信号強度）を監視し得る。したがって、送信に使用中のアンテナ、例えば、第２のアンテナ１２０の送信特性が悪化すると（例えば、信号強度が特定の強度閾値を越えるか、または閾値に近づくと）、メインコントローラ１６０は他のアンテナ、例えば第１のアンテナの送信特性をテストし得る。これは、送信器モジュール１４０を第１のアンテナ１１０に接続することによって行われる。アンテナ１１０、１２０の送信特性を評価する際に、メインコントローラ１６０はベース局からのフィードバック情報（例えば、クローズドループパワーコントロール）を用い得る。この実施例において第１のアンテナ１１０がより良好な送信特性を有している場合、メインコントローラ１６０は送信器モジュール１４０と第１のアンテナ１１０との間の接続を維持する。メインコントローラ１６０はその後、第１のアンテナ１１０の送信特性を監視する。他方、メインコントローラ１６０が第１のアンテナ１１０はより良好な送信特性を有していないと決定した場合、メインコントローラ１６０はスイッチングモジュールを制御して、第２のスイッチ１８０が送信器モジュール１４０を第２のアンテナ１２０に接続するようにする。
【００２３】
別の実施形態においては、メインコントローラ１６０が、例えば送信特性を向上させるために例えばアンテナを第１のアンテナ１１０から第２のアンテナに切り換えた後、メインコントローラ１６０は受信特性を新しい送信特性に合致させることを試み得る。この実施例において、第２のアンテナ１２０が特定の質の強度パラメータを含む送信特性を有している場合、メインコントローラ１６０は第１のアンテナ１１０および第２のアンテナ１２０の受信特性をテストして、いずれのアンテナが特定の質により近い受信特性、特に本実施例においては強度パラメータを有しているかを評価する。選択されたアンテナ１１０または１２０は、必ずしも例えば最大の強度パラメータを有しているわけではなく、最も近い合致強度パラメータを有している。
【００２４】
さらなる実施形態において、メインコントローラ１６０は、第１のアンテナ１１０および第２のアンテナ１２０の少なくとも一方の範囲内にあるベース局のリストを維持する。このリストは、ワイヤレス通信デバイス１００が、例えば登録プロセスまたは他の初期プロセス中にワイヤレス通信デバイス１００の範囲内にあるすべてのベース局から信号を受け取る際に、収集され得る。さらに、リストは、定期的に又は不定期に（例えば、特定の条件またはイベントによってトリガされる際に）、更新され得る。したがって、現在送信に用いられているアンテナの送信特性が悪化すると、メインコントローラ１６０は、リスト上のベース局の各々で、各々のアンテナの送信特性をテストし得る。このようなテストに基づいて、アンテナまたはベース局の切り換えが行われ得る。現在受信に用いられているアンテナの受信特性が悪化すると、メインコントローラ１６０は、リスト上のベース局の各々で、各々のアンテナの受信特性をテストし得る。このようなテストに基づいて、アンテナまたはベース局の切り換えが行われ得る。
【００２５】
このように、マルチパス環境において情報を受信および送信するシステムおよび方法が提供されることが理解される。当業者は、本発明は本明細書に限定の目的ではなく説明の目的で記載された好適な実施形態以外の実施形態でも実施され得ること、および本発明は特許請求の範囲によってのみ限定されることを理解する。本明細書に記載の特定の実施形態の均等物もまた本発明を実施し得ることに留意されたい。
【図面の簡単な説明】
【００２６】
【図１】図１は、本発明によるワイヤレス通信デバイスのいくつかのコンポーネントを模式的に表す図である。
【図２Ａ】図２Ａは、本発明によるワイヤレスデバイスを示す図である。
【図２Ｂ】図２Ｂは、本発明によるワイヤレスデバイスを示す図である。
【図３】図３は、従来のアンテナの等方性放射パターンの極性プロットを示す。
【図４】図４は、従来のアンテナのマルチパス環境における放射パターンの極性プロットを示す。
【図５】図５は、従来のアンテナのマルチパス環境における、異なる周波数での放射パターンの極性プロットを示す。
【図３】
2004537207.tif 000003
【図４】
2004537207.tif 000004
【図５】
2004537207.tif 000005
【国際公開パンフレット】
2004537207.tif 000006
2004537207.tif 000007
2004537207.tif 000008
2004537207.tif 000009
2004537207.tif 000010
2004537207.tif 000011
2004537207.tif 000012
2004537207.tif 000013
2004537207.tif 000014
2004537207.tif 000015
2004537207.tif 000016
2004537207.tif 000017
2004537207.tif 000018
2004537207.tif 000019
2004537207.tif 000020
2004537207.tif 000021
2004537207.tif 000022
2004537207.tif 000023
【国際調査報告】
2004537207.tif 000024
2004537207.tif 000025
2004537207.tif 000026
2004537207.tif 000027
2004537207.tif 000028
2004537207.tif 000029